(57)【要約】  マルチ周波数ネットワークにおいてＲＦチャネル選択のための方法および装置。方法は、選択されたローカルオペレーションインフラストラクチャ（ＬＯＩ）およびそれらの隣接ＬＯＩを識別することと、選択されたＬＯＩおよびそれらの隣接ＬＯＩを識別する隣接記述メッセージであって、解読シーケンス識別子を、選択されたＬＯＩおよびそれらの隣接ＬＯＩに関連した各無線周波数（ＲＦ）チャネルに関連づける隣接記述メッセージ（ＮＤＭ）を生成することと、選択されたＬＯＩ上でＮＤＭを配信することを含む。装置は、第１のＬＯＩおよび隣接ＬＯＩのＲＦチャネルを識別するＮＤＭを受信するメッセージデコーダ（ここで各ＲＦチャネルは解読シーケンス識別子に関連づけられている）と、コンテンツ取得失敗を検出し、ＲＦチャネルと、それらの望ましいコンテンツを運ぶ関連したＬＯＩとのリストを判定し、関連したＬＯＩのうちで最も多くの追加コンテンツを運ぶ選択されたＬＯＩに関連づけられている選択されたＲＦチャネルを選択する処理論理回路と、を含む。
2010533993.tif 000002
【特許請求の範囲】
【請求項１】
マルチ周波数ネットワークにおいてＲＦチャネル選択のための方法であって、
前記マルチ周波数ネットワークにおいて１以上の選択されたＬＯＩのそれぞれ関する１以上の隣接ＬＯＩと、１以上の選択されたローカルオペレーションインフラストラクチャ（ＬＯＩ）と、を識別し、
前記１以上の選択されたＬＯＩおよびそれぞれの隣接ＬＯＩを識別する隣接記述メッセージであって、少なくとも１つの解読シーケンス識別子を、１以上の選択されたＬＯＩおよびそれぞれの隣接ＬＯＩのそれぞれに関連した各無線周波数（ＲＦ）チャネルに関連づける隣接記述メッセージ（ＮＤＭ）を生成し、
前記１以上の選択されたＬＯＩのそれぞれでＮＤＭを配信することを具備する方法。
【請求項２】
前記生成することは、複数のＬＯＩにそれぞれ関連した複数のＮＤＭメッセージを生成することを具備する請求項１の方法。
【請求項３】
前記配信することは、前記複数のＮＤＭメッセージをそれらの関連したＬＯＩ上でそれぞれ配信することを具備する請求項２の方法。
【請求項４】
少なくとも１つの解読シーケンス識別子のそれぞれは、ワイドエリアシーケンス識別子（ＷＩＤ）およびローカルエリアシーケンス識別子（ＬＩＤ）の少なくとも１つを具備する請求項１の方法。
【請求項５】
前記生成することは、あるＬＯＩに関連した全てのＲＦチャネルに関する周波数レコードのただ１つのインスタンスを含めるために前記ＮＤＭを最適化することを具備する請求項１の方法。
【請求項６】
マルチ周波数ネットワークにおいてＲＦチャネル選択のための装置であって、
前記マルチ周波数ネットワークにおいて１以上の選択されたローカルオペレーションインフラストラクチャ（ＬＯＩ）のそれぞれについて、前記１以上の選択されたＬＯＩと、１以上の隣接ＬＯＩと、を識別し、前記１以上の選択されたＬＯＩおよびそれぞれの隣接ＬＯＩを識別する隣接記述メッセージであって、少なくとも１つの解読シーケンス識別子を、前記１以上の選択されたＬＯＩおよびそれぞれの隣接ＬＯＩのそれぞれに関連した各無線周波数（ＲＦ）チャネルに関連づける隣接記述メッセージ（ＮＤＭ）を生成するメッセージング論理回路と、
前記１以上の選択されたＬＯＩのそれぞれでＮＤＭを配信する出力論理回路と、を具備する装置。
【請求項７】
前記メッセージング論理回路は、それぞれ複数のＬＯＩに関連した複数のＮＤＭメッセージを生成する請求項６の装置。
【請求項８】
前記出力論理回路は、前記複数のＮＤＭメッセージをそれらの関連したＬＯＩ上にそれぞれ配信する請求項７の装置。
【請求項９】
前記少なくとも１つの解読シーケンス識別子のそれぞれは、ワイドエリアシーケンス識別子（ＷＩＤ）およびローカルエリアシーケンス識別子（ＬＩＤ）の少なくとも１つを具備する請求項６の装置。
【請求項１０】
前記メッセージング論理回路は、あるＬＯＩに関連した全てのＲＦチャネルに関する周波数レコードのただ１つのインスタンスを含めるために、前記ＮＤＭを最適化する請求項６の装置。
【請求項１１】
マルチ周波数ネットワークにおいてＲＦチャネル選択に関する装置であって、
前記マルチ周波数ネットワークにおいて１以上の選択されたＬＯＩのそれぞれ関する１以上の隣接ＬＯＩと、１以上の選択されたローカルオペレーションインフラストラクチャ（ＬＯＩ）と、を識別する手段と、
前記１以上の選択されたＬＯＩおよびそれぞれの隣接ＬＯＩを識別する隣接記述メッセージであって、少なくとも１つの解読シーケンス識別子を、前記１以上の選択されたＬＯＩおよびそれぞれの隣接ＬＯＩのそれぞれに関連した各無線周波数（ＲＦ）チャネルに関連づける隣接記述メッセージ（ＮＤＭ）を生成する手段と、
前記１以上の選択されたＬＯＩのそれぞれでＮＤＭを配信する手段と、を具備する装置。
【請求項１２】
前記生成手段は、複数のＬＯＩにそれぞれ関連した複数のＮＤＭメッセージを生成する手段を具備する請求項１１の装置。
【請求項１３】
前記分配手段は、前記複数のＮＤＭメッセージをそれらの関連したＬＯＩ上でそれぞれ配信することを具備する請求項１２の装置。
【請求項１４】
前記少なくとも１つの解読シーケンス識別子のそれぞれは、ワイドエリアシーケンス識別子（ＷＩＤ）およびローカルエリアシーケンス識別子（ＬＩＤ）の少なくとも１つを具備する請求項１１の装置。
【請求項１５】
前記生成手段は、あるＬＯＩに関連した全てのＲＦチャネルに関する周波数レコードのただ１つのインスタンスを含めるために前記ＮＤＭを最適化する手段を具備する請求項１１の装置。
【請求項１６】
マルチ周波数ネットワークにおいてＲＦチャネル選択のためのコンピュータプログラム製品であって、
機械読取可能な媒体を具備し、該機械読取可能な媒体は、
コンピュータに、前記マルチ周波数ネットワークにおいて１以上の選択されたローカルオペレーションインフラストラクチャ（ＬＯＩ）のそれぞれ関する１以上の隣接ＬＯＩと、前記１以上の選択されたＬＯＩと、を識別させ、前記１以上の選択されたＬＯＩおよびそれぞれの隣接ＬＯＩを識別する隣接記述メッセージであって、少なくとも１つの解読シーケンス識別子を、前記１以上の選択されたＬＯＩおよびそれぞれの隣接ＬＯＩのそれぞれに関連した各無線周波数（ＲＦ）チャネルに関連づける隣接記述メッセージ（ＮＤＭ）を生成させる第１のコードセットと、
前記コンピュータに、前記１以上の選択されたＬＯＩのそれぞれでＮＤＭを配信させる第２のコードセットと、を具備するコンピュータプログラム製品。
【請求項１７】
前記第１のコードセットは、前記コンピュータに、複数のＬＯＩにそれぞれ関連した複数のＮＤＭメッセージを生成させる請求項１６の機械読取可能な媒体。
【請求項１８】
前記第２のコードセットは、コンピュータに、前記複数のＮＤＭメッセージをそれらの関連したＬＯＩ上でそれぞれ配信させる請求項１７の機械読取可能な媒体。
【請求項１９】
少なくとも１つの解読シーケンス識別子のそれぞれは、ワイドエリアシーケンス識別子（ＷＩＤ）およびローカルエリアシーケンス識別子（ＬＩＤ）の少なくとも１つを具備する請求項１６の機械読取可能な媒体。
【請求項２０】
前記第１のコードセットは、前記コンピュータに、あるＬＯＩに関連した全てのＲＦチャネルに関する周波数レコードのただ１つのインスタンスを含めるために前記ＮＤＭを最適化させる請求項１６の機械読取可能な媒体。
【請求項２１】
マルチ周波数ネットワークにおいてＲＦチャネル選択のための方法を実行する集積回路であって、
前記マルチ周波数ネットワークにおいて１以上の選択されたローカルオペレーションインフラストラクチャ（ＬＯＩ）のそれぞれ関する１以上の隣接ＬＯＩと、前記１以上の選択されたＬＯＩと、を識別し、前記１以上の選択されたＬＯＩおよびそれぞれの隣接ＬＯＩを識別する隣接記述メッセージであって、少なくとも１つの解読シーケンス識別子を、前記１以上の選択されたＬＯＩおよびそれぞれの隣接ＬＯＩのそれぞれに関連した各無線周波数（ＲＦ）チャネルに関連づける隣接記述メッセージ（ＮＤＭ）を生成する第１のモジュールと、
前記１以上の選択されたＬＯＩのそれぞれで前記ＮＤＭを配信する第２のモジュールと、を具備する集積回路。
【請求項２２】
前記第１のモジュールは、複数のＬＯＩにそれぞれ関連した複数のＮＤＭメッセージを生成する請求項２１の集積回路。
【請求項２３】
前記第２のモジュールは、前記複数のＬＯＩにそれぞれ関連した複数のＮＤＭメッセージを生成する請求項２２の集積回路。
【請求項２４】
前記少なくとも１つの解読シーケンス識別子のそれぞれは、ワイドエリアシーケンス識別子（ＷＩＤ）およびローカルエリアシーケンス識別子（ＬＩＤ）の少なくとも１つを具備する請求項２１の集積回路。
【請求項２５】
前記第１のモジュールは、あるＬＯＩに関連した全てのＲＦチャネルに関する周波数レコードのただ１つのインスタンスを含めるために前記ＮＤＭを最適化する請求項２１の集積回路。
【請求項２６】
マルチ周波数ネットワークにおいてＲＦチャネル選択のための方法であって、
第１のローカルオペレーションインフラストラクチャ（ＬＯＩ）および前記第１のＬＯＩの１以上の隣接ＬＯＩに関連した無線周波数（ＲＦ）チャネルを識別する隣接記述メッセージ（ＮＤＭ）を受信し、各ＲＦチャネルは少なくとも１つの解読シーケンス識別子に関連づけられていて、
望ましいコンテンツに関連したコンテンツ取得失敗を検出し、
前記望ましいコンテンツを運ぶＲＦチャネルと、それらの関連したＬＯＩとのリストを前記１以上の隣接ＬＯＩから判定し、
ＲＦチャネルの前記リストから選択されたＲＦチャネルを選択し、前記選択されたＲＦチャネルは、前記関連するＬＯＩ中の最多の追加コンテンツを運ぶ、選択されたＬＯＩに関連づけられる方法。
【請求項２７】
前記選択されたＲＦチャネルに関連した選択された解読シーケンス識別子を用いて前記望ましいコンテンツを取得するために、前記選択されたＲＦチャネルへ切り替えることをさらに具備する請求項２６の方法。
【請求項２８】
前記少なくとも１つの解読シーケンス識別子は、ワイドエリアシーケンス識別子（ＷＩＤ）およびローカルエリアシーケンス識別子（ＬＩＤ）の少なくとも１つを具備する請求項２６の方法。
【請求項２９】
前記受信することは、あるＬＯＩに関連した全てのＲＦチャネルに関する周波数レコードのただ１つのインスタンスを含んでいる最適化されたＮＤＭを受信することを具備する請求項２６の方法。
【請求項３０】
前記判定することは、前記望ましいコンテンツを運ぶＲＦチャネルと、それらの関連したＬＯＩとの前記リストを、最適化されたＮＤＭにおける情報から判定することを具備する請求項２９の方法。
【請求項３１】
前記受信することは、制御チャネル上の前記ＮＤＭを受信することを具備する請求項２６の方法。
【請求項３２】
前記選択されたＬＯＩは、前記関連したＬＯＩのうちで最多のユニークな解読シーケンス識別子に関連づけられる請求項２６の方法。
【請求項３３】
前記選択することは、ＲＦチャネルと、関連したフィルターされたＬＯＩとのフィルターされたリストを生成するためにＲＦチャネルの前記リストをフィルターし、該フィルターされたリストは信号強度基準を満たし、ＲＦチャネルの前記フィルターされたリストから前記選択されたＲＦチャネルを選択し、前記選択されたＲＦチャネルは、前記フィルターされたＬＯＩのうちで最多のユニークな解読シーケンス識別子に関連づけられている請求項２６の方法。
【請求項３４】
マルチ周波数ネットワークにおいてＲＦチャネル選択のための装置であって、
第１のローカルオペレーションインフラストラクチャ（ＬＯＩ）および第１のＬＯＩの１以上の隣接ＬＯＩに関連した無線周波数（ＲＦ）チャネルを識別する隣接記述メッセージ（ＮＤＭ）を受信するメッセージデコーダと、
ここで各ＲＦチャネルは少なくとも１つの解読シーケンス識別子に関連づけられていて、
望ましいコンテンツに関連したコンテンツ取得失敗を検出し、前記望ましいコンテンツを運ぶＲＦチャネルと、それらの関連したＬＯＩとのリストを前記１以上の隣接ＬＯＩから判定し、ＲＦチャネルの前記リストから選択されたＲＦチャネルを選択する処理論理回路と、を具備し、
前記選択されたＲＦチャネルは、関連するＬＯＩ中の最多の追加コンテンツを運ぶ、選択されたＬＯＩに関連づけられる装置。
【請求項３５】
前記選択されたＲＦチャネルに関連した選択された解読シーケンス識別子を用いて前記望ましいコンテンツを取得するために、前記選択されたＲＦチャネルへ切り替えることをさらに具備する請求項３４の装置。
【請求項３６】
前記少なくとも１つの解読シーケンス識別子は、ワイドエリアシーケンス識別子（ＷＩＤ）およびローカルエリアシーケンス識別子（ＬＩＤ）の少なくとも１つを具備する請求項３４の装置。
【請求項３７】
前記メッセージデコーダは、あるＬＯＩに関連した全てのＲＦチャネルに関する周波数レコードのただ１つのインスタンスを含んでいる最適化されたＮＤＭを受信する請求項３４の装置。
【請求項３８】
前記処理論理回路は、前記望ましいコンテンツを運ぶＲＦチャネルと、それらの関連したＬＯＩとの前記リストを、前記最適化されたＮＤＭにおける情報から判定する請求項３７の装置。
【請求項３９】
前記メッセージデコーダは、制御チャネル上の前記ＮＤＭを受信する請求項３４の装置。
【請求項４０】
前記選択されたＬＯＩは、前記関連したＬＯＩのうちで最多のユニークな解読シーケンス識別子に関連づけられる請求項３４の装置。
【請求項４１】
前記処理論理回路は、ＲＦチャネルと、関連したフィルターされたＬＯＩとのフィルターされたリストを生成するためにＲＦチャネルの前記リストをフィルターし、前記フィルターされたリストは信号強度基準を満たし、
ＲＦチャネルの前記フィルターされたリストから前記選択されたＲＦチャネルを選択し、前記選択されたＲＦチャネルは、前記フィルターされたＬＯＩのうちで最多のユニークな解読シーケンス識別子に関連づけられている請求項３４の装置。
【請求項４２】
マルチ周波数ネットワークにおいてＲＦチャネル選択のための装置であって、
第１のローカルオペレーションインフラストラクチャ（ＬＯＩ）および前記第１のＬＯＩの１以上の隣接ＬＯＩに関連した無線周波数（ＲＦ）チャネルを識別する隣接記述メッセージ（ＮＤＭ）を受信する手段と、
各ＲＦチャネルは少なくとも１つの解読シーケンス識別子に関連づけられていて、
望ましいコンテンツに関連したコンテンツ取得失敗を検出する手段と、
前記望ましいコンテンツを運ぶＲＦチャネルと、それらの関連したＬＯＩとのリストを前記１以上の隣接ＬＯＩから判定する手段と、
ＲＦチャネルの前記リストから選択されたＲＦチャネルを選択する手段と、を具備し、
前記選択されたＲＦチャネルは、前記関連するＬＯＩ中の最多の追加コンテンツを運ぶ、選択されたＬＯＩに関連づけられる装置。
【請求項４３】
前記選択されたＲＦチャネルに関連した選択された解読シーケンス識別子を用いて前記望ましいコンテンツを取得するために、前記選択されたＲＦチャネルへ切り替える手段をさらに具備する請求項４２の装置。
【請求項４４】
前記少なくとも１つの解読シーケンス識別子は、ワイドエリアシーケンス識別子（ＷＩＤ）およびローカルエリアシーケンス識別子（ＬＩＤ）の少なくとも１つを具備する請求項４２の装置。
【請求項４５】
前記受信手段は、あるＬＯＩに関連した全てのＲＦチャネルに関する周波数レコードのただ１つのインスタンスを含んでいる最適化されたＮＤＭを受信する手段を具備する請求項４２の装置。
【請求項４６】
前記判定手段は、前記望ましいコンテンツを運ぶＲＦチャネルと、それらの関連したＬＯＩとの前記リストを、前記最適化されたＮＤＭにおける情報から判定する手段を具備する請求項４５の装置。
【請求項４７】
前記受信手段は、制御チャネル上の前記ＮＤＭを受信する手段を具備する請求項４２の装置。
【請求項４８】
前記選択されたＬＯＩは、前記関連したＬＯＩのうちで最多のユニークな解読シーケンス識別子に関連づけられる請求項４２の装置。
【請求項４９】
前記選択手段は、ＲＦチャネルと、関連したフィルターされたＬＯＩとのフィルターされた前記リストを生成するためにＲＦチャネルの前記リストをフィルターする手段と、
該フィルターされたリストは信号強度基準を満たし、ＲＦチャネルの前記フィルターされたリストから選択されたＲＦチャネルを選択する手段と、を具備し、
前記選択されたＲＦチャネルは、前記フィルターされたＬＯＩのうちで最多のユニークな解読シーケンス識別子に関連づけられている請求項４２の装置。
【請求項５０】
マルチ周波数ネットワークにおいてＲＦチャネル選択のためのコンピュータプログラム製品であって、
機械読取可能な媒体を具備し、該機械読取可能な媒体は、
コンピュータに、第１のローカルオペレーションインフラストラクチャ（ＬＯＩ）および前記第１のＬＯＩの１以上の隣接ＬＯＩに関連した無線周波数（ＲＦ）チャネルを識別する隣接記述メッセージ（ＮＤＭ）を受信させる第１のコードセットと、
各ＲＦチャネルは少なくとも１つの解読シーケンス識別子に関連づけられていて、
前記コンピュータに、望ましいコンテンツに関連したコンテンツ取得失敗を検出せる第２のコードセットと、
前記コンピュータに、前記望ましいコンテンツを運ぶＲＦチャネルと、それらの関連したＬＯＩとのリストを前記１以上の隣接ＬＯＩから判定させる第３のコードセットと、
前記コンピュータに、ＲＦチャネルの前記リストから選択されたＲＦチャネルを選択する第４のコードセットと、を具備し、
前記選択されたＲＦチャネルは、関連するＬＯＩ中の最多の追加コンテンツを運ぶ、選択されたＬＯＩに関連づけられるコンピュータプログラム製品。
【請求項５１】
前記コンピュータに、前記選択されたＲＦチャネルに関連した選択された解読シーケンス識別子を用いて前記望ましいコンテンツを取得するために、前記選択されたＲＦチャネルへ切り替えさせる第５のコードセットをさらに具備する請求項５０の機械読取可能な媒体。
【請求項５２】
前記少なくとも１つの解読シーケンス識別子は、ワイドエリアシーケンス識別子（ＷＩＤ）およびローカルエリアシーケンス識別子（ＬＩＤ）の少なくとも１つを具備する請求項５０の機械読取可能な媒体。
【請求項５３】
前記第１のコードセットは、前記コンピュータに、あるＬＯＩに関連した全てのＲＦチャネルに関する周波数レコードのただ１つのインスタンスを含んでいる最適化されたＮＤＭを受信させる請求項５０の機械読取可能な媒体。
【請求項５４】
前記第３のコードセットは、前記コンピュータに、前記望ましいコンテンツを運ぶＲＦチャネルと、それらの関連したＬＯＩとの前記リストを、前記最適化されたＮＤＭにおける情報から判定させる請求項５３の機械読取可能な媒体。
【請求項５５】
前記第１のコードセットは、前記コンピュータに、制御チャネル上のＮＤＭを受信させる請求項５０の機械読取可能な媒体。
【請求項５６】
前記選択されたＬＯＩは、前記関連したＬＯＩのうちで最多のユニークな解読シーケンス識別子に関連づけられる請求項５０の機械読取可能な媒体。
【請求項５７】
前記第４のコードセットは、前記コンピュータに、ＲＦチャネルと、関連したフィルターされたＬＯＩとのフィルターされた前記リストを生成するためにＲＦチャネルの前記リストをフィルターさせ、
前記フィルターされたリストは信号強度基準を満たし、
ＲＦチャネルの前記フィルターされたリストから選択されたＲＦチャネルを選択させ、
前記選択されたＲＦチャネルは、前記フィルターされたＬＯＩのうちで最多のユニークな解読シーケンス識別子に関連づけられている請求項５０の機械読取可能な媒体。
【請求項５８】
マルチ周波数ネットワークにおいてＲＦチャネル選択のための方法を実行する少なくとも１つの集積回路であって、
第１のローカルオペレーションインフラストラクチャ（ＬＯＩ）および前記第１のＬＯＩの１以上の隣接ＬＯＩに関連した無線周波数（ＲＦ）チャネルを識別する隣接記述メッセージ（ＮＤＭ）を受信する第１のモジュールと、
ここで各ＲＦチャネルは少なくとも１つの解読シーケンス識別子に関連づけられていて、
望ましいコンテンツに関連したコンテンツ取得失敗を検出する第２のモジュールと、
前記望ましいコンテンツを運ぶＲＦチャネルと、それらの関連したＬＯＩとのリストを前記１以上の隣接ＬＯＩから判定する第３のモジュールと、
ＲＦチャネルの前記リストから選択されたＲＦチャネルを選択する第４のモジュールと、を具備し、
前記選択されたＲＦチャネルは、関連するＬＯＩ中の最多の追加コンテンツを運ぶ、選択されたＬＯＩに関連づけられる少なくとも１つの集積回路。
【請求項５９】
前記選択されたＲＦチャネルに関連した選択された解読シーケンス識別子を用いて前記望ましいコンテンツを取得するために、前記選択されたＲＦチャネルへ切り替える第５のモジュールをさらに具備する請求項５８の少なくとも１つの集積回路。
【請求項６０】
前記少なくとも１つの解読シーケンス識別子は、ワイドエリアシーケンス識別子（ＷＩＤ）およびローカルエリアシーケンス識別子（ＬＩＤ）の少なくとも１つを具備する請求項５８の少なくとも１つの集積回路。
【請求項６１】
前記第１のモジュールは、制御チャネル上の前記ＮＤＭを受信する請求項５８の少なくとも１つの集積回路。
【請求項６２】
前記第１のモジュールは、あるＬＯＩに関連した全てのＲＦチャネルに関する周波数レコードのただ１つのインスタンスを含んでいる最適化されたＮＤＭを受信する請求項５８の少なくとも１つの集積回路。
【請求項６３】
前記第３のモジュールは、前記望ましいコンテンツを運ぶＲＦチャネルと、それらの関連したＬＯＩとの前記リストを、前記最適化されたＮＤＭにおける情報から判定する請求項６２の少なくとも１つの集積回路。
【請求項６４】
前記選択されたＬＯＩは、前記関連したＬＯＩのうちで最多のユニークな解読シーケンス識別子に関連づけられる請求項５８の少なくとも１つの集積回路。
【請求項６５】
前記第４のモジュールは、ＲＦチャネルと、関連したフィルターされたＬＯＩとのフィルターされたリストを生成するためにＲＦチャネルの前記リストをフィルターし、前記フィルターされたリストは信号強度基準を満たし、
ＲＦチャネルの前記フィルターされたリストから前記選択されたＲＦチャネルを選択し、前記選択されたＲＦチャネルは、前記フィルターされたＬＯＩのうちで最多のユニークな解読シーケンス識別子に関連づけられている請求項５８の少なくとも１つの集積回路。
【発明の詳細な説明】
【技術分野】
【０００１】
本願は、一般的にデータネットワークの動作に関し、特にマルチ周波数ネットワークにおいてＲＦチャネル選択についての方法および装置に関する。
【０００２】
本特許出願は、“Methods and Apparatus for Providing Neighbor List Data in a Multiple Frequency Network”と題された、２００７年３月２１日に出願された仮出願６０／８９６，２５３に対して優先権を主張する。さらに、“Methods and Apparatus for Providing Neighbor List Data in a Multiple Frequency Network”と題された、２００７年６月２０日に出願された仮出願６０／９４５，３０８に対して優先権を主張する。両方は譲受人に譲渡され、そしてここで参照によって明示的に組込まれる。
【背景技術】
【０００３】
無線通信ネットワークのようなデータネットワークは、一つの端末用にカスタマイズされたサービスと、多くの端末に提供されるサービスとの間で交互に使用しなければならない。例えば、リソースに制限のある多くの携帯機器（加入者）へのマルチメディアコンテンツの配信は、複雑な問題である。したがって、ネットワークオペレーター、コンテンツ小売業者およびサービスプロバイダーが、コンテンツおよび／または他のネットワークサービスを、高速および効率的に、さらに帯域幅利用および電力効率を増加させるように、配信する方法を持っていることは重要である。
【０００４】
マルチ周波数ネットワーク（ＭＦＮ）は、メディアコンテンツを送信するために複数の無線周波数（ＲＦｓ）（あるいはＲＦチャネル）が用いられるネットワークである。１つの型のＭＦＮは水平のマルチ周波数ネットワーク（ＨＭＦＮ）であり、この場合、配信波形は異なるローカルエリアでの異なるＲＦチャネルで送信される。同一または異なるコンテンツは、そのようなローカルエリアでの異なるＲＦチャネルで運ばれる配信波形の一部として送信されてもよい。別の型のＭＦＮは、（デバイス／エンドユーザに、より多くのコンテンツを送達する能力の観点で）ネットワークの容量を増加させる目的を有する独立した配信波形を送信するために、あるローカルエリアにおいて複数の無線周波数（ＲＦ）チャネルが用いられる、垂直マルチ周波数ネットワーク（ＭＦＮ）である。ＭＦＮ配置はまた、一定領域でのＶＭＦＮおよびある他のエリアでのＨＭＦＮから成ってもよい。
【０００５】
典型的なＶＭＦＮでは、ローカルオペレーションインフラストラクチャ（ＬＯＩ）は、選択された地理的領域において複数のＲＦチャネルで複数の配信波形を送信するために動作する送信サイトを含む。配信波形はそれぞれ、レンダリングのための受信デバイスで選択されうる１以上のコンテンツフローを含んでもよい。隣接したＬＯＩは同じか異なるＲＦチャネルを利用してもよい。
【０００６】
動作中に、受信デバイスは、別のＲＦチャネルについてコンテンツを取得するために、ユーザリクエストまたはアプリケーションリクエストの結果として、ＲＦチャネルスイッチを実行してもよい。デバイスはまた、（例えばデバイスモビリティにより）コンテンツ取得失敗が望ましいコンテンツに起る場合、ＲＦチャネルスイッチを実行してもよい。デバイスモビリティは、現在のＬＯＩのサービスエリアから他の隣接ＬＯＩのサービスエリアへデバイスが移動することとして定義される。コンテンツ取得失敗はまた、デバイスモビリティを含むことなしにチャネル条件を変えることにより起るかもしれない。典型的には、デバイスは、望ましいコンテンツフローを運ぶあらゆる利用可能なＲＦチャネルに変更してもよい。デバイスモビリティによるコンテンツ取得失敗の場合には、２つ以上のＬＯＩのサービスエリアは、望ましいコンテンツを運ぶ複数のＲＦチャネルが利用可能なように、重複してもよい。これらの利用可能なＲＦチャネルは異なるＬＯＩに属し、そして、ＬＯＩはそれぞれ、他のＲＦチャネルで運ばれる種々様々の追加コンテンツを含んでもよい。デバイスが利用可能なＲＦチャネルから望ましいコンテンツを運ぶＲＦチャネルを無作為に選択する場合、選択されたＲＦチャネルに関連したＬＯＩは、ほどんどの追加コンテンツを運ばなくてもよい。例えば、選択されたＲＦチャネルに関連したＬＯＩは、他の利用可能なＲＦチャネルに関連したＬＯＩより少ないコンテンツを運んでもよい。
【０００７】
したがって、最も多くの追加コンテンツを有するＬＯＩを関連づけられた望ましいコンテンツを運ぶＲＦチャネルをデバイスが選択することを許容するために動作するシステムを持っていることは望ましく、それによって、向上されたユーザ体験のために高速かつ効率的に追加コンテンツに切替える能力を持つデバイスを提供する。
【発明の概要】
【０００８】
１以上の態様では、方法と装置を含む選択システムが提供される。このシステムは、望ましいコンテンツフローを有するＲＦチャネルを選択するように動作し、かつ、マルチ周波数ネットワークに最多の追加コンテンツフローを持っているＬＯＩにおいて利用可能である。ＲＦチャネルスイッチの後、デバイスは、望ましいコンテンツフローを受信することができ、高速かつ効率的に追加コンテンツフローに切替える能力を持っている。これは、向上されたユーザ体験のため、デバイスエンドユーザに最大数の追加コンテンツフローへのアクセスを提供する。
【０００９】
ある態様では、方法はマルチ周波数ネットワークにおいてＲＦチャネル選択のために提供される。方法は、マルチ周波数ネットワークにおいて１以上の選択されたＬＯＩ、および１以上の選択されたＬＯＩのそれぞれに関して１以上の隣接ＬＯＩを識別すること、１以上の選択されたＬＯＩおよびそれぞれの隣接ＬＯＩを識別し、少なくとも１つの解読シーケンス識別子を、１以上の選択されたＬＯＩとそれらのそれぞれの隣接ＬＯＩに関連づけられている各ＲＦチャネルに関連づける隣接記述メッセージ（ＮＤＭ）を生成することを具備する。方法はまた、１以上の選択されたＬＯＩのそれぞれでＮＤＭを配信することを具備する。
【００１０】
ある態様では、装置はマルチ周波数ネットワークにおいてＲＦチャネル選択のために提供される。装置は、マルチ周波数ネットワークにおいて１以上の選択されたＬＯＩのそれぞれについて、１以上の選択されたＬＯＩおよび１以上の隣接ＬＯＩを識別し、１以上の選択されたＬＯＩおよびそれぞれの隣接ＬＯＩを識別するＮＤＭを生成し、１以上の選択されたＬＯＩおよびそれぞれの隣接ＬＯＩのそれぞれに関連した各ＲＦチャネルに少なくとも１つの解読シーケンス識別子を関連づけるメッセージング論理回路を具備する。装置はまた、１以上の選択されたＬＯＩにＮＤＭを配信する出力論理回路を具備する。
【００１１】
ある態様では、装置はマルチ周波数ネットワークにおいてＲＦチャネル選択のために提供される。装置は、マルチ周波数ネットワークにおいて１以上の選択されたＬＯＩのそれぞれについて、１以上の選択されたＬＯＩおよび１以上の隣接ＬＯＩを識別する手段と、１以上の選択されたＬＯＩおよびそれぞれの隣接ＬＯＩを識別し、１以上の選択されたＬＯＩおよびそれぞれの隣接ＬＯＩのそれぞれに関連した各ＲＦチャネルに少なくとも１つの解読シーケンス識別子を関連づけるＮＤＭを生成する手段と、１以上の選択されたＬＯＩ上にＮＤＭを配信する手段と、を具備する。
【００１２】
ある態様では、コンピュータプログラム製品はマルチ周波数ネットワークにおいてＲＦチャネル選択のために提供される。コンピュータプログラム製品は、コンピュータに、マルチ周波数ネットワークにおいて１以上の選択されたＬＯＩのそれぞれについて１以上の選択されたＬＯＩおよび１以上の隣接ＬＯＩを識別させ、１以上の選択されたＬＯＩおよびそれぞれの隣接ＬＯＩを識別するＮＤＭを生成させ、１以上の選択されたＬＯＩおよびそれぞれの隣接ＬＯＩのそれぞれに関連した各ＲＦチャネルに、少なくとも１つの解読シーケンス識別子を関連させる第１のコードセットと、コンピュータに１以上の選択されたＬＯＩにＮＤＭを配信させる第２のコードセットと、を具備する機械読取可能な媒体を具備する。
【００１３】
ある態様では、マルチ周波数ネットワークにおいてＲＦチャネル選択のために構成される集積回路が提供される。集積回路は、マルチ周波数ネットワークにおいて１以上の選択されたＬＯＩのそれぞれについて、１以上の選択されたＬＯＩおよび１以上の隣接ＬＯＩを識別し、１以上の選択されたＬＯＩおよびそれぞれの隣接ＬＯＩを識別するＮＤＭを生成し、１以上の選択されたＬＯＩおよびそれぞれの隣接ＬＯＩのそれぞれに関連した各ＲＦチャネルに、少なくとも１つの解読シーケンス識別子を関連づける第１のモジュールと、１以上の選択されたＬＯＩにＮＤＭを配信する第２のモジュールと、を具備する。
【００１４】
ある態様では、方法はマルチ周波数ネットワークにおいてＲＦチャネル選択のために提供される。方法は、第１のＬＯＩおよび第１のＬＯＩの１以上の隣接ＬＯＩに関連したＲＦチャネルを識別するＮＤＭを受信することと（ここでＲＦチャネルはそれぞれ、少なくとも１つの解読シーケンス識別子と関連づけられている）、望ましいコンテンツに関連したコンテンツ取得失敗を検出することを具備する。方法はまた、望ましいコンテンツを運ぶＲＦチャネルと、それらの関連するＬＯＩとのリストを１以上の隣接ＬＯＩから判定することと、ＲＦチャネルのリストから選択されたＲＦチャネルを選択することを具備し、選択されたＲＦチャネルは、関連したＬＯＩの中の最多の追加コンテンツを運ぶ選択されたＬＯＩに関連づけられている。
【００１５】
ある態様では、装置はマルチ周波数ネットワークにおいてＲＦチャネル選択のために提供される。装置は、第１のＬＯＩおよび第１のＬＯＩの１以上の隣接ＬＯＩに関連したＲＦチャネルを識別するＮＤＭを受信するメッセージデコーダを具備し、ＲＦチャネルがそれぞれ少なくとも１つの解読シーケンス識別子に関連づけられている。装置はまた、望ましいコンテンツに関連したコンテンツ取得失敗を検出し、望ましいコンテンツを運ぶＲＦチャネルと、それらの関連するＬＯＩとのリストを１以上の隣接ＬＯＩから判定し、ＲＦチャネルのリストから選択されたＲＦチャネルを選択する処理論理回路を具備し、選択されたＲＦチャネルは、関連するＬＯＩの中の最多の追加コンテンツを運ぶ選択されたＬＯＩに関連づけられている。
【００１６】
ある態様では、装置はマルチ周波数ネットワークにおいてＲＦチャネル選択のために提供される。装置は、第１のＬＯＩおよび第１のＬＯＩの１以上の隣接ＬＯＩに関連したＲＦチャネルを識別するＮＤＭを受信する手段（ＲＦチャネルがそれぞれ少なくとも１つの解読シーケンス識別子に関連づけられている）と、望ましいコンテンツに関連したコンテンツ取得失敗を検出する手段と、を具備する。装置はまた、望ましいコンテンツを運ぶＲＦチャネルと、それらの関連するＬＯＩとのリストを１以上の隣接ＬＯＩから判定する手段と、ＲＦチャネルのリストから選択されたＲＦチャネルを選択する手段と、を具備し、選択されたＲＦチャネルは、関連するＬＯＩの中の最多の追加コンテンツを運ぶ選択されたＬＯＩに関連づけられている。
【００１７】
ある態様では、コンピュータプログラム製品はマルチ周波数ネットワークにおいてＲＦチャネル選択のために提供される。コンピュータプログラム製品は機械読取可能な媒体を具備し、この媒体は、コンピュータに、第１のＬＯＩおよび第１のＬＯＩの１以上の隣接ＬＯＩに関連したＲＦチャネルを識別するＮＤＭを受信させる第１のコードセット（ＲＦチャネルがそれぞれ少なくとも１つの解読シーケンス識別子に関連づけられている）と、コンピュータに、望ましいコンテンツに関連したコンテンツ取得失敗を検出させる第２のコードセットと、コンピュータに、１以上の隣接ＬＯＩから、望ましいコンテンツおよびそれらの関連するＬＯＩを運ぶＲＦチャネルのリストを判定させる第３のコードセットと、コンピュータに、ＲＦチャネルのリストから選択されたＲＦチャネルを選択させる第４のコードセットと、を具備し、選択されたＲＦチャネルは、関連するＬＯＩの中の最多の追加コンテンツを運ぶ選択されたＬＯＩに関連づけられている。
【００１８】
ある態様では、マルチ周波数ネットワークにおいてＲＦチャネル選択のための方法を実行する少なくとも１つの集積回路が提供される。少なくとも１つの集積回路は、第１のＬＯＩおよび第１のＬＯＩの１以上の隣接ＬＯＩに関連したＲＦチャネルを識別するＮＤＭを受信する第１のモジュール（ＲＦチャネルがそれぞれは少なくとも１つの解読シーケンス識別子に関連づけられている）と、望ましいコンテンツを関連づけられたコンテンツ取得失敗を検出する第２のモジュールと、望ましいコンテンツを運ぶＲＦチャネルと、それらの関連するＬＯＩとのリストを１以上の隣接ＬＯＩから判定する第３のモジュールと、ＲＦチャネルのリストから、選択されたＲＦチャネルを選択する第４のモジュールと、を具備し、選択されたＲＦチャネルは関連するＬＯＩの中の最多の追加コンテンツを運ぶ選択されたＬＯＩを関連づける。
【００１９】
他の態様は、以下に説明される図面の簡単な説明、詳細な説明、およびクレームの再検討後に明らかになる。
【図面の簡単な説明】
【００２０】
添付図面と共に考慮された場合に、ここに記述された上述の態様は、以下の説明を参照することによってより即座に明白になる。
【図１】図１は、選択システムの態様で使用されるＭＦＮの複数のＬＯＩにおいて解読シーケンス識別子がどのように設定されるか例証するネットワークを示す。
【図２】図２は、選択システムの態様で使用される送信フレームの図を示す。
【図３】図３は、選択システムの態様で使用されるアグリゲーション論理回路を示す。
【図４】図４は、選択システムの態様で使用される隣接記述メッセージを示す図を示す。
【図５】図５は、選択システムの態様で使用される隣接記述メッセージを生成する方法を示す。
【図６】図６は、選択システムの態様で使用されるＲＦチャネル選択論理回路を示す。
【図７】図７は、選択システムの態様での使用のためのＲＦチャネルを選択する方法を示す。
【図８】図８は、選択システムの態様で使用されるアグリゲーション論理回路を示す。
【図９】図９は、選択システムの態様で使用されるＲＦチャネル選択論理回路を示す。
【発明を実施するための形態】
【００２１】
１以上の態様では、デバイスがマルチ周波数ネットワークにおいてＲＦチャネルを選択することを許容するために動作する選択システムが提供される。ある態様では、選択システムは、特定のＬＯＩおよびその隣接ＬＯＩにおいてＲＦチャネルに関連した解読シーケンス識別子を集めて、隣接記述メッセージにする。システムは、垂直マルチ周波数ネットワークにおいて各ＬＯＩのため（またはＬＯＩの選択されたグループのため）のＮＤＭを生成する。その後、ＮＤＭはそれぞれのＬＯＩにおける送信機に配信され、順にそれらのサービスエリアにおけるデバイスにＮＤＭを送信する。
【００２２】
各ＬＯＩのためのＮＤＭを生成することは、帯域幅にとって効率的である。しかし、ＮＤＭは、一群のＬＯＩに関して、選択システム内のＮＤＭ生成および配信論理回路を単純化するために生成されてもよい。ＮＤＭが一群のＬＯＩに関して生成される場合、それは（ＬＯＩのグループ内の）各ＬＯＩおよびその隣接ＬＯＩにおいてＲＦチャネルに関連した解読シーケンス識別子を含んでいる。一群のＬＯＩに関して生成されたＮＤＭは、ＬＯＩのグループ内の各ＬＯＩでの送信機に配信される。送信機は、順にサービスエリアにおけるデバイスに受信されたＮＤＭを送信する。
【００２３】
ＮＤＭを受信するデバイスは、その現在のＬＯＩおよびその隣接ＬＯＩにおいて用いられるＲＦチャネルに関連した、現在のＬＯＩおよび解読シーケンスの隣接ＬＯＩのセットを判定することができる。（例えば、デバイスがその現在のＬＯＩによってカバーされた領域から１以上の隣接ＬＯＩによってカバーされた領域へ移動する場合でのデバイスモビリティのために）コンテンツ取得失敗の後に開始されたＲＦチャネルスイッチ中に、デバイスでの選択論理回路は受信されたＮＤＭを処理し、ＲＦチャネルに関連した望ましいコンテンツおよび解読シーケンスを運ぶ隣接ＬＯＩにおけるＲＦチャネルを直ちかつ効率的に判定する。これは、円滑なハンドオフがコンテンツ取得観点から発生することを許容する。望ましいコンテンツを運ぶＲＦチャネルを有する複数の隣接ＬＯＩがある場合、選択論理回路は最多の追加コンテンツを有する隣接ＬＯＩに関連したＲＦチャネルを選択するために動作する。このように、選択されたＲＦチャネルへのＲＦスイッチ後、デバイスは追加コンテンツにアクセスする。このコンテンツは向上されるユーザ体験を提供するために高速かつ効率的に切り替えられうる。
【００２４】
システムは、無線ネットワーク環境での使用のために十分適しているが、任意の型のネットワーク環境において、通信ネットワーク、インターネットのような公衆網、仮想プライベートネットワーク（ＶＰＮ）のような私設網、ローカルエリアネットワーク、ワイドエリアネットワーク、長距離ネットワークまたは他の型のデータネットワークを含みしかしこれらに限定されずに、用いられてもよい。
【００２５】
定義
以下の定義は選択システムの態様を記述するためにここに用いられる。
【００２６】
１．  ローカルエリア−  建物、一群の建物、コミュニティ、都市、郡、またはサービスがブロードキャストされてもよい他の局所的領域のようなローカルな地理的領域を示す。
【００２７】
２．  ワイドエリア−  郡、州、複数の州、国々、複数の国々、またはサービスがブロードキャストされてもよい他の広領域のようなワイドな地理的領域を示す。
【００２８】
３．  多重−  コンテンツフローのグループ分けを示す。
【００２９】
４．  ワイドエリア多重−  少なくとも１つのワイドエリア一帯にブロードキャストされるコンテンツフローのグループ分けを示す。
【００３０】
５．  ローカルエリア多重−  少なくとも１つのローカルエリア一帯にブロードキャストされるコンテンツフローのグループ分けを示す。
【００３１】
６．  ワイドエリア動作インフラストラクチャー（ＷＯＩ）−  ワイドエリア一帯にコンテンツフローを送信するために動作する送信機および関連するシステムのグループ分けを示す。
【００３２】
ＷＯＩは、ワイドエリア多重を運ぶことができる最も小さな地理的なワイドエリアへ写像する。ワイドエリア多重は１以上のＷＯＩにブロードキャストされてもよい。
【００３３】
７．  ローカルエリア動作インフラストラクチャー（ＬＯＩ）−  ローカルエリア一帯にコンテンツフローを送信するために動作する送信機および関連するシステムのグループ分けを示す。
【００３４】
ＬＯＩは、ローカルエリア多重を運ぶことができる最も小さな地理的なローカルエリアに写像する。ローカルエリア多重は１以上のＬＯＩにブロードキャストされてもよい。
【００３５】
８．  ＲＦチャネル−  選択されたＬＯＩにコンテンツ配信波形を伝えるために用いられるＲＦ周波数を示す。
【００３６】
９．  コンテンツチャンネル−  特定の配信波形内の選択されたコンテンツフローを示す。
【００３７】
例えば、配信波形は複数のコンテンツチャネルを具備してもよいし、さらに、コンテンツチャネルはそれぞれ１以上のコンテンツフローを具備してもよい。
【００３８】
頭字語
次の頭字語は選択システムの態様を説明するためにここに用いられる。
【００３９】
ＬＭ−ローカルエリア多重
ＷＭ−ワイドエリア多重
ＮＯＣ−ネットワークオペレーションセンター
ＬＯＩ−ローカルオペレーションインフラストラクチャ
ＮＤＭ−隣接記述メッセージ
ＷＩＤ−ワイドエリア解読識別子
ＬＩＤ−ローカルエリア解読識別子
イントロダクション
図１は、選択システムの態様で使用される複数のＬＯＩにおいてＷＩＤ／ＬＩＤ解読シーケンス識別子がどのように設定されるか例証するネットワーク１００を示す。例えば、ネットワーク１００は、４つのＷＯＩ（ＷＯＩ１、ＷＯＩ２、ＷＯＩ３およびＷＯＩ４）を具備し、それぞれマルチ周波数ネットワークの１つのＬＯＩ（ＬＯＩ１、ＬＯＩ２、ＬＯＩ３およびＬＯＩ４のそれぞれ）を具備する。各ＬＯＩの内では、１以上のＲＦチャネルはコンテンツを送信するために用いられる。ＲＦチャネルはそれぞれ、そのＲＦチャネルで送信されたコンテンツを解読するために用いることができる解読シーケンスを識別する関連するＷＩＤ／ＬＩＤを有している。ＬＯＩ１、ＬＯＩ２、ＬＯＩ３およびＬＯＩ４はネットワーク１００に示されるような隣接ＬＯＩである。ＬＯＩ１はその隣としてＬＯＩ２を有し、ＬＯＩ２はその隣としてＬＯＩ１、ＬＯＩ３およびＬＯＩ４を有し、ＬＯＩ３はその隣としてＬＯＩ２を有し、また、ＬＯＩ４はその隣としてＬＯＩ２を有している。
【００４０】
ネットワーク１００は、マルチ周波数ネットワークの選択されたワイドおよびローカルエリア一帯への配信のためのワイドおよびローカルコンテンツ多重を受信するために動作するネットワークオペレーションセンター（ＮＯＣ）１０２を具備する。ＮＯＣ１０２はまた、そのコンテンツを配信するマルチ周波数ネットワークを構成するために動作する。これを遂行するために、ＮＯＣ１０２は、ＬＯＩ、各領域において使用されるＲＦチャネル、および、ネットワークを構成し、かつワイドおよびローカルエリアコンテンツ多重を配信する必要がありうる他のネットワーク情報によってカバーされるネットワークの地理的な領域を知っている。ネットワーク１００が任意の数のＬＯＩを具備してもよいことは注目されるべきである。
【００４１】
ある態様では、ＮＯＣ１０２はアグリゲーション論理回路１０４を含む。アグリゲーション論理回路１０４は、各ＬＯＩにおけるＲＦチャネルに関連するＷＩＤ／ＬＩＤ解読識別子および各ＬＯＩに関して隣接ＬＯＩのリストに関連する情報を集める動作する。例えば、ワイドおよびローカルエリアコンテンツ多重は、ネットワーク１００での送信の前にワイドエリアおよびローカルエリアスクランブリングシーケンスでスクランブルされる。ある態様では、アグリゲーション論理回路１０４は、特定のＬＯＩおよびその隣接ＬＯＩのＲＦチャネルに関連した解読シーケンスを識別する、特定のＬＯＩおよびＷＩＤ／ＬＩＤ識別子に関連した隣接ＬＯＩのリストを提供するように構成されるＮＤＭメッセージを生成するために動作する。別の態様において、ＮＤＭメッセージは、ＬＯＩの任意の選択されたグループに関してＲＦチャネルに関連した隣接ＬＯＩおよびＷＩＤ／ＬＩＤ識別子のリストを提供する。アグリゲーション論理回路１０４によって生成されたＮＤＭメッセージのより詳細な説明は、この文書の別のセクションにおいて提供される。
【００４２】
ＮＯＣ１０２は、ネットワーク１００内のＬＯＩに、ワイドおよびローカルエリア多重および生成されたＮＤＭを送信するために動作する。４つのＬＯＩだけは示されるが、ＮＯＣ１０２が任意の数のＬＯＩに、多重および関連したＮＤＭを送信してもよいことは注目されるべきである。
【００４３】
ある態様では、ＬＯＩ１、ＬＯＩ２、ＬＯＩ３およびＬＯＩ４は１以上の送信機サイトを具備する。例えば、ＬＯＩ１は送信機サイト１０６を具備する。送信機サイトはそれぞれ、そのそれぞれのＬＯＩに、選択されたＲＦチャネルについての配信波形を送信するために動作する。送信機サイトがそれぞれ１０８で示されるような１以上のサーバを具備することは注目されるべきである。
【００４４】
ある態様では、ＮＯＣ１０２は、任意の適切なトランスポート機構を使用して、送信機サイトへコンテンツ多重およびＮＤＭを送信するために動作する。例えば、コンテンツ多重およびＮＤＭは、１１０で示されるように、各送信機サイトに関連したサーバに送信される。ある態様では、ＮＯＣ１０２は、ＭＰＥＧ−２トランスポート機構を使用して、送信機サイトへコンテンツ多重およびＭＤＭメッセージを送信する。この構成では、各送信機サイトのサーバが、それらに向けられる選択されたコンテンツ多重およびＮＤＭメッセージをそれぞれ検出し受信することができるように、多重とＮＤＭのメッセージは、ＭＰＥＧ−２トランスポート識別子を割当てられる。
【００４５】
送信機サイトでのサーバは、どの多重およびＮＤＭメッセージがそれらそれぞれのＬＯＩで配信するために意図されているかを判定するために、トランスポート識別子を使用する。サーバは、その後、選択されたＲＦチャネルでの送信について送信フレームに、それぞれの多重およびＮＤＭメッセージをパックするために動作する。サーバは、送信について送信フレームに、多重およびＮＤＭメッセージをパックするために、任意の適切な物理層プロセスを利用する。それぞれのＬＯＩでの送信を意図された多重およびＮＤＭメッセージを判定するためにトランスポート識別子を用いることによって、送信機サイトでのサーバは、多重またはＮＤＭのメッセージのうちのどれもデコードする必要はない。サーバは単に適切なトランスポート識別子を検出し、次に、物理層プロセスにしたがって送信フレームに、識別された多重およびＮＤＭメッセージをパックする。
【００４６】
送信フレームは、アグリゲーション論理回路１０４によって生成されたＮＤＭメッセージおよびワイドおよびローカルエリア多重に関連したコンテンツフローを具備する。ある態様では、送信フレームは、ワイドおよびローカルエリアコンテンツフローを伝えるために用いられる、ワイドおよびローカルデータパーティーションをそれぞれ具備する。さらに、ワイドおよびローカルパーティションはワイドおよびローカル制御チャネルを具備する。ある態様では、ローカル制御チャネルは、各ＬＯＩにおけるデバイスへ、アグリゲーション論理回路１０４によって生成されたＮＤＭメッセージを配信するために用いられる。
【００４７】
ある態様では、送信機サイトは、指定のＲＦチャネルを用いて、それぞれのＬＯＩに送信フレームを送信する。複数のＲＦチャネルを用いることによって、ネットワーク１００は、そのようなＬＯＩにより多くのコンテンツフローを送信することができる。ＬＯＩの内の送信機サイトが、共同配置してもよいし任意の望ましい距離だけ分離されてもよいことは注目されるべきである。ＬＯＩが、それぞれ隣接ＬＯＩの異なるセットを持ち、それぞれ送信されたコンテンツを解読するために異なるＲＦチャネルおよび解読シーケンスと隣が関連づけられていてもよいので、各ＬＯＩに配信されるＮＤＭが異なってもよいことも注目されるべきである。
【００４８】
各ＬＯＩの内では、解読シーケンス識別子は各ＲＦチャネルに関連づけられる。解読シーケンス識別子は、ワイドエリア解読シーケンス識別子（ＷＩＤ）およびローカルエリア解読シーケンス識別子（ＬＩＤ）を具備する。解読シーケンス識別子は、特定のＲＦチャネルでの特定のＬＯＩにおいて受信されたコンテンツを解読するために用いることができる解読シーケンスを識別する。例えば、ＬＯＩ２では、２つのＲＦチャネル（つまりＲＦ２、ＲＦ３）があり、ＲＦチャネルはそれぞれ解読シーケンス識別子に関連づけられる。
【００４９】
例えば、ＲＦ２はＷＩＤ１とＬＩＤ１に関連づけられる。また、ＲＦ３はＷＩＤ２とＬＩＤ２に関連づけられる。
【００５０】
ＬＯＩ２において動作するデバイス１１２は、ＷＩＤ１によって識別された解読シーケンスで解読されうるチャネルＲＦ２でワイドエリアコンテンツを受信するために調整される。デバイス１１２の詳細は１１４で示される。デバイス１１２は、送信フレームを受信するために選択されたＲＦチャネルへ合せるために動作する受信機１１６を具備する。例えば、受信機１１６は送信フレームを受信するためにＬＯＩ２におけるＲＦ２に同調される。受信される送信フレームは、ＬＯＩ２に関してアグリゲーション論理回路１０４によって生成されたＮＤＭを伝えるローカル制御チャネルを具備する。ＮＤＭは、現在のＬＯＩ（つまりＬＯＩ２）と、現在のＬＯＩ（つまりＬＯＩ２）およびその隣接ＬＯＩ（つまりＬＯＩ１、ＬＯＩ３およびＬＯＩ４）でのＲＦチャネルに関連づけられている解読シーケンスを識別するＷＩＤ／ＬＩＤ解読識別子とに関する隣接ＬＯＩのリストを具備する。
【００５１】
１２２で示されるように、受信機１１６は受信されたＮＤＭをＲＦチャネル選択論理回路１１８へ渡す。受信機１１６はまた、ＬＯＩ２においてＲＦ２に関連した正しいＷＩＤ／ＬＩＤ識別子を用いて、受信されたコンテンツを解読し、解読されたコンテンツを、デバイスユーザに関するコンテンツをレンダリングするために動作するデコーダ１２０へ渡す。
【００５２】
ＲＦチャネル選択論理回路１１８は１２２でＮＤＭを受信するために動作する。ＮＤＭは、あるＬＯＩおよびその隣接ＬＯＩでのＲＦチャネルに関して、あるＬＯＩおよびＷＩＤ／ＬＩＤ識別子に関する隣接ＬＯＩのリストを指定する。この情報から、ＲＦチャネル選択論理回路１１８は、ＲＦチャネルと、現在のＬＯＩおよび現在のＬＯＩの個々の隣接ＬＯＩで使用されるＷＩＤ／ＬＩＤ解読識別子との間でマッピングを記憶するために動作する。ある態様では、新規のＲＦチャネルに合わせるために、ＲＦチャネル選択論理回路１１８に受信機１１６へのリクエスト１２４を送信させる１以上のＲＦチャネルスイッチイベントが発生してもよい。ＲＦチャネルスイッチイベントは、望ましいコンテンツフローを受信するために、デバイス１１２に、あるＲＦチャネルから別のＲＦチャネルへ切り替えさせるイベントである。ある態様では、ＲＦチャネルスイッチイベントは、装置ユーザリクエスト、デバイス１１２で実行されるアプリケーションプログラムによって生成されるリクエストによって、および、（例えばデバイスモビリティにより）所望のコンテンツに関してコンテンツ取得失敗の結果として、開始されうる。
【００５３】
ある態様では、デバイス１１２がＬＯＩ２によってカバーされる領域から、１以上の隣接ＬＯＩによってカバーされる領域へ移動する場合、デバイスモビリティが発生する。
【００５４】
例えば、デバイス受信機１１６は、ＬＯＩ２での特定のＲＦチャネルについての望ましいコンテンツフローを受信するために調整される。ＲＦチャネル選択論理回路１１８は、デバイス１１２がＬＯＩ２のサービスエリアの外へ動くとして望ましいコンテンツについてコンテンツ取得失敗が検出される場合、受信機１１６が望ましいコンテンツフローを受信し続けるために、合せることができる隣接ＬＯＩにおけるＲＦチャネルを判定するために動作する。
【００５５】
望ましいコンテンツフローを運ぶ新規のＲＦチャネルを判定するために、ＲＦチャネル選択論理回路１１８は選択システムの態様において以下の１以上の機能を行うために動作する。
【００５６】
１．コンテンツ取得の観点から円滑な遷移を実行されうるように、望ましいコンテンツフローを運ぶ隣接ＬＯＩでの利用可能なＲＦチャネルのリストを（受信されたＮＤＭにおける情報から）判定する。
【００５７】
２．コンテンツ取得を許可するために十分な信号強度で受信されうるＲＦチャネルのサブセットを判定するために測定された信号強度によって利用可能なＲＦチャネルのリストをフィルターする。
【００５８】
３．各ＬＯＩにおいてＲＦチャネルに関連したユニークなＷＩＤ／ＬＩＤ識別子の数に基いて、それらの関連するＬＯＩによってＲＦチャネルのフィルターされたサブセットを順序づける。
【００５９】
ＬＯＩにおいてＲＦチャネルに関連した、ユニークなＷＩＤおよびＬＩＤの数は、そのＬＯＩにおける利用可能なコンテンツの量を特定する。
【００６０】
４．（ほとんどの追加コンテンツを指示する）ユニークな最多の数のＷＩＤ／ＬＩＤ識別子を有するＬＯＩと関連がある、ＲＦチャネルの順序づけられたサブセットからＲＦチャネルを選択する。
【００６１】
５．利用可能なＲＦチャネルのリストにおいてＲＦチャネルのどれも、所望の信号強度基準を満たさない場合には、最も高い信号強度で受信されうる利用可能なＲＦチャネルのリストからＲＦチャネルを選択する。
【００６２】
一旦ＲＦチャネルが判定されれば、ＲＦチャネル選択論理回路１１８は、チャネルスイッチを実行するために受信機１１６にチャネルスイッチメッセージ１２４を出力する。望ましいコンテンツフローが受信機１１６によって解読されうるように、チャネルスイッチメッセージは、選択されたＲＦチャネルに関する正しいＷＩＤ／ＬＩＤ識別子を含んでいる。受信機１１６は、選択されたＲＦチャネルのためのＲＦスイッチを実行し、チャネルスイッチメッセージにおいて受信されたＷＩＤ／ＬＩＤを用いて、コンテンツを解読する。
【００６３】
したがって、種々の態様では、選択システムは、利用可能なＲＦチャネルのどれが、望ましいコンテンツフローを運び、かつ、ユーザまたはアプリケーションリクエストに基いて将来に直ちにかつ効率的に切り替えられる可能性がある最多の追加コンテンツフローを運ぶＬＯＩにおいて利用可能か、を決めるために動作する。これは、デバイスの新規のエリアにおけるコンテンツ利用可能性を最大化し、向上されたユーザ体験を提供する。
【００６４】
コンテンツ取得失敗例
図１を再び参照して、次の例は、コンテンツ取得失敗が望ましいコンテンツについて検出された後（例えばデバイスモビリティによって）、選択システムの態様の動作を記述する。例えば、デバイス１１２が、ＬＯＩ２のチャネルＲＦ２によって運ばれるワイドエリアコンテンツを受信するように現在調整され、ローカル制御チャネル上のＮＤＭを受信している、と仮定される。ワイドエリアコンテンツはＷＩＤ１によって識別された解読シーケンスを用いて解読されうる。デバイス１１２がＬＯＩ２によってカバーされた領域から出るので、コンテンツ取得失敗がＲＦチャネル選択論理回路１１８によってワイドエリアコンテンツについて検出される、とさらに仮定される。ＲＦチャネル選択論理回路１１８は、ＲＦ２によって運ばれたワイドエリアコンテンツをまた運びかつＷＩＤ１によって識別された解読シーケンスを用いて解読されうる、ＬＯＩ２の隣接ＬＯＩにおける利用可能なＲＦチャネルのリストをＮＤＭから判定するために動作する。特定のワイドエリアコンテンツは、隣接ＬＯＩにおいて複数のＲＦチャネル上の同じ解読シーケンス識別子を用いて解読される。この例において、ＬＯＩ３におけるチャネルＲＦ４およびＬＯＩ４におけるチャネルＲＦ６が、ＬＯＩ２におけるチャネルＲＦ２と同じワイドエリアコンテンツを運び、これらはＷＩＤ１によって識別される解読シーケンスを用いて解読されうることが判定される。
【００６５】
ＲＦチャネル選択論理回路１１８は、望ましいコンテンツを運ぶ一組の利用可能なＲＦチャネル（ＲＦ４とＲＦ６）に関する信号強度を判定するために、受信機１１６と通信する。例えば、ＲＦチャネル選択論理回路１１８は、識別されたＲＦチャネルのどれが任意の望ましい信号強度基準を満たすか決めるために、測定された信号強度を用いる。ＲＦチャネル選択論理回路１１８は、十分な信号強度基準を満たすＲＦチャネルのサブセットを判定するために、利用可能なＲＦチャネルをフィルターする。
【００６６】
その後、ＲＦチャネル選択論理回路１１８は、それぞれのＬＯＩに関連したユニークなＷＩＤ／ＬＩＤ識別子の数によって利用可能なＲＦチャネルのフィルターされたリストをソートする。ユニークなＷＩＤ／ＬＩＤ識別子の数は、特定のＬＯＩにおいて利用可能なコンテンツの量を指示する。例えば、ユニークな最多のＷＩＤ／ＬＩＤ識別子を有するＬＯＩは、最多の追加コンテンツを運ぶことが判定される。その後、ＲＦチャネル選択論理回路１１８は、利用可能なＲＦチャネルのフィルターされたリストから、最多の追加コンテンツがあるＬＯＩに関連したＲＦチャネルを選択する。
【００６７】
その後、ＲＦチャネル選択論理回路１１８は、判定されたＲＦチャネルへ切替えるために、受信機１１６にチャネルスイッチメッセージ１２４を送る。リストにおいて利用可能な全てのＲＦチャネルが、それらの関連するＬＯＩにおいて同じ量の追加コンテンツを運ぶ場合、最も高い信号強度を有するＲＦチャネルが選択される。また、利用可能なＲＦチャネルのどれもその信号強度基準を満たさない場合、最も高い信号強度を有するＲＦチャネルが選択される。この例において、ＲＦ４とＲＦ６の両方が信号強度基準を満たすと仮定して、ＬＯＩ３は最多の追加コンテンツ（つまりユニークな最多のＷＩＤ／ＬＩＤ識別子）があるので、ＬＯＩ３のＲＦ４は選択される。しかし、もしＲＦ４の信号強度が望ましい信号強度基準を満たさなければ、ＬＯＩ４のＲＦ６は選択される。このように、ＬＯＩ３のチャネルＲＦ４に切り替えることによって、デバイスは、望ましいワイドエリアコンテンツを受信し続けることができ、ＬＯＩ３で運ばれる追加コンテンツへの高速かつ効率的なアクセスを有する。
【００６８】
したがって、選択システムの態様は、望ましいコンテンツを運び、かつ、最多の追加コンテンツを入手可能である隣接ＬＯＩに関連した、ＲＦチャネルを選択するために動作する。ネットワーク１００が選択システムの単に１つの実装を示し、他の実装が種々の態様の範囲内で可能であることは注目されるべきである。
【００６９】
図２は、選択システムの態様で使用される送信フレーム２００の図を示す。例えば、送信フレーム２００は、ワイドおよびローカルエリアコンテンツ多重およびＮＤＭメッセージでパックされ、図１の１以上の送信機サイトによって送信されてもよい。
【００７０】
送信フレーム２００は、２０２（ワイドおよびローカルエリアコンテンツ多重を伝えるために用いられる）で一般的に示される４つのサブフレームを備える。例えば、サブフレーム２０２はそれぞれ、ワイドエリアコンテンツ多重がパックされているワイドエリアパーティション２０４、およびローカルエリアコンテンツ多重がパックされているローカルエリア分割２０６を備える。
【００７１】
ワイドエリア制御チャネル２０８は、ワイドエリアパーティション２０４に含まれている。ワイドエリア制御チャネル２０８はワイドエリアコンテンツ多重に関係するメッセージを伝えるために動作する。ローカルエリア制御チャネル２１０は、ローカルエリアパーティション２０６に含まれている。ローカルエリア制御チャネル２１０はローカルエリアコンテンツ多重に関係するメッセージを伝えるために動作する。ある態様では、ローカルエリア制御チャネルはＮＤＭメッセージを伝えるために用いられる。
【００７２】
送信フレーム２００のはじまりには、サブフレーム２０２にパックされている、ワイドエリア制御チャネル、ローカルエリア制御チャネルおよびワイドおよびローカルエリアコンテンツを位置づけるために用いられるオーバーヘッド情報を提供するオーバーヘッド情報シンボル（ＯＩＳ）２１２がある。ＯＩＳ２１２はワイドオーバーヘッド情報シンボル（ＷＯＩＳ）およびローカルオーバーヘッド情報シンボル（ＬＯＩＳ）を備えている。
【００７３】
図３は、選択システムの態様で使用されるアグリゲーション論理回路３００を示す。例えば、アグリゲーション論理回路３００は、図１に示されるアグリゲーション論理回路１０４としての使用に適している。アグリゲーション論理回路３００は、すべてデータバス３１０に連結される、メッセージング論理回路３０２、多重入力論理回路３０６および出力論理回路３０８を備えている。
【００７４】
多重入力論理回路３０６は、ソフトウェアを実行するハードウェア、ＣＰＵ、プロセッサ、ゲートアレイ、ハードウェア論理回路、および／または、メモリーエレメントのうちの少なくとも１つを備えている。多重入力論理回路３０６は、マルチ周波数配信ネットワークのワイドおよびローカル領域に配信されることになっている１以上のワイドおよび／またはローカルなエリア多重３１２を受信するために動作する。
【００７５】
メッセージング論理回路３０２は、ソフトウェアを実行するハードウェア、ＣＰＵ、プロセッサ、ゲートアレイ、ハードウェア論理回路、および／または、メモリーエレメントのうちの少なくとも１つを備えている。メッセージング論理回路３０２は選択システムの態様で使用されるメッセージを生成するために動作する。メッセージング論理回路３０２はマルチ周波数配信ネットワークにおいてＬＯＩの中の隣接関係情報にアクセスする。ある態様では、メッセージング論理回路３０２は、あるＬＯＩおよびその隣接ＬＯＩにおいて用いられるＲＦチャネルに関連した、あるＬＯＩおよびＷＩＤ／ＬＩＤ解読シーケンス識別子に関する１以上の隣接ＬＯＩを識別する１以上のＮＤＭメッセージを生成する。別の態様では、メッセージング論理回路３０２はＬＯＩの任意の選択されたグループに関するＮＤＭメッセージを生成する。ＮＤＭメッセージのより詳細な説明はこの文献の別のセクションにおいて提供される。
【００７６】
出力論理回路３０８は、ソフトウェアを実行するハードウェア、ＣＰＵ、プロセッサ、ゲートアレイ、ハードウェア論理回路、および／または、メモリーエレメントのうちの少なくとも１つを備えている。出力論理回路３０８は、マルチ周波数ネットワークにおいて、ＬＯＩのための配信のためのＮＤＭメッセージおよびコンテンツ多重を出力するために動作する。例えば、出力論理回路３０８は、任意の型のトランスポート機構を用いるマルチ周波数ネットワークにおいて送信機サイトに、コンテンツ多重およびＮＤＭメッセージを出力するために動作する。
【００７７】
ある態様では、選択システムは、１以上のプログラム命令（「命令」）または具現化されるかまたは機械読取可能な媒体上に記憶される「符号」のセットを有するコンピュータプログラム製品を備えていて、それらは少なくとも１つのプロセッサ（例えばメッセージング論理回路３０２でのプロセッサ）によって実行された場合に、ここで記述された機能を提供する。例えば、コードセットは、フロッピー（登録商標）ディスク、ＣＤＲＯＭ、メモリーカード、ＦＬＡＳＨメモリデバイス、ＲＡＭ、ＲＯＭ、または、アグリゲーション論理回路３００に接続する、他の型のメモリデバイスまたは機械読取可能な媒体のような、機械読取可能な媒体からアグリゲーション論理回路３００にロードされてもよい。別の態様において、コードセットは外部デバイスまたはネットワークリソースからアグリゲーション論理回路３００へダウンロードされてもよい。コードセットは、実行されたときに、ここで記述されたように選択システムの態様を提供する。
【００７８】
図４は、選択システムの態様で使用される隣接記述メッセージ４００を説明する図を示す。例えば、ＮＤＭ４００は図３に示されるメッセージング論理回路３０２によって生成される。
【００７９】
ある態様では、ＮＤＭ４００は、各ＬＯＩについて別々に生成され、選択されたＬＯＩおよびその隣接ＬＯＩに関連したＲＦチャネルのリストを提供するように構成される。別の態様において、ＮＤＭ４００は、（隣であるかもしれないし、隣でないかもしれない）ＬＯＩの選択されたグループについて生成され、ＬＯＩの選択されたグループ内のＬＯＩのそれぞれに関する隣接ＬＯＩをすべて含んでいる。ＮＤＭ４００で記述されたＲＦチャネルのそれぞれは、ＷＩＤ／ＬＩＤ解読シーケンス識別子に関連づけられる。下記はＮＤＭ４００に含まれるパラメータの詳細な説明である。
【００８０】
ＮＤＭ４００は、ＮＤＭメッセージ４００を識別するメッセージヘッダー４０２を備えている。ＮＤＭ４００はまた、１セットの隣接ＬＯＩ、関連するＲＦチャネルおよびＷＩＤ／ＬＩＤ識別子情報がＮＤＭ４００に記述されているＬＯＩの数を指示するＬＯＩカウントパラメータ４０４を備えている。各ＬＯＩ回数４０４については、ブラケットによって指示されるようなパラメータのグループを含むＬＯＩレコード４２８が含まれている。例えば、ＬＯＩカウントパラメータ４０４が「２」に等しければ、２セットのＬＯＩレコード４２８がある。
【００８１】
ＬＯＩレコード４２８の一部として、特定の参照ＬＯＩを識別する参照ＬＯＩ識別子パラメータ４０６が提供される。参照ＬＯＩ自体に加えて参照ＬＯＩに関連した隣接ＬＯＩの合計数を示す隣接ＬＯＩカウントパラメータ４０８が提供される。各隣接ＬＯＩ回数４０８については、ブラケットによって指示されるようなパラメータのグループを含む隣接ＬＯＩレコード４３０が含まれている。例えば、隣接ＬＯＩカウントパラメータ４０８が「２」に等しければ、２セットの隣接ＬＯＩレコード４３０がある。隣接ＬＯＩレコード４３０は、あるＬＯＩに関連したＷＩＤ／ＬＩＤ情報およびＲＦチャネルを提供する。
【００８２】
隣接ＬＯＩレコード４３０の一部として、特定の隣接ＬＯＩレコード４３０が参照ＬＯＩ向けかどうかを示すＮｅｉｇｈｂｏｒＬＯＩＳａｍｅＡｓＲｅｆＬＯＩフラグ４１０が提供される。このフラグが真に設定される場合、隣接ＬＯＩ識別子フィールド４１２は最適化について省略されてもよい。情報が隣接ＬＯＩレコード４３０に記述されている特定のＬＯＩを識別する隣接ＬＯＩ識別子４１２が提供される。どれだけの周波数（つまりＲＦチャネル）が識別されるＬＯＩと関連するかを示す周波数カウントパラメータ４１４が提供される。識別されたＬＯＩにおける各ＲＦチャネルについては、ブラケットによって指示されるようなパラメータのグループを含む周波数レコード４３２が含まれている。例えば、周波数カウントパラメータ４１４が「２」に等しければ、２セットの周波数レコード４３２がある。
【００８３】
周波数レコード４３２の一部として、特定のＲＦチャネルのための識別子を指示するＲＦチャネルＩＤパラメータ４１６が提供される。このパラメータは、他の制御チャネルメッセージにおいて特定のＲＦチャネルへの参照に使用されてもよい。ある態様では、ＲＦチャネルＩＤパラメータ４１６は単に、参照ＬＯＩにＲＦチャネルに関して含まれている。例えば、ＲＦチャネルＩＤパラメータ４１６は単に参照ＬＯＩに関して含まれており、したがって、ＮｅｉｇｈｂｏｒＬＯＩＳａｍｅＡｓＲｅｆＬＯＩフラグ４１０が真に設定されている隣接ＬＯＩレコード４３０に関連した周波数レコードに単にある。特定の送信周波数を指示する周波数パラメータ４１８が提供される。特定の送信周波数に関してチャネル帯域幅を指示するチャネルプランパラメータ４２０が提供される。特定の送信周波数上で運ばれたワイドエリアコンテンツを解読するためのワイドエリアコンテンツ解読シーケンスを識別するＷＩＤパラメータ４２２が提供される。特定の送信周波数上で運ばれたローカルエリアコンテンツを解読するためのローカルエリアコンテンツ解読シーケンスを識別するＬＩＤパラメータ４２４が提供される。任意の適切な追加情報に関するＮＤＭメッセージ４００の終わりで１以上の予約のパラメータ４２６が提供される。
【００８４】
ＮＤＭ４００が一群のＬＯＩに関して生成される場合、あるＬＯＩはＮＤＭ４００において二度以上、隣接ＬＯＩとして含まれていてもよい。例えば、ＮＤＭ４００が２つの隣接ＬＯＩ（例えば図１でのＬＯＩ２およびＬＯＩ３）に関して生成されれば、ＬＯＩ２はＮＤＭに２度含まれるであろう。ＬＯＩ２は、参照ＬＯＩとして一度、およびＬＯＩ３の隣として一度含まれる。同様にＬＯＩ３は、参照ＬＯＩとして一度、およびＬＯＩ２の隣として一度含まれる。ある態様では、あるＬＯＩが一群のＬＯＩに関して生成されたＮＤＭにおいて二度以上含まれている場合、周波数レコード４３２はＮＤＭサイズを最適化するためにＬＯＩに関して一度だけ含まれている。この最適化がサポートされる場合、周波数カウントフィールド４１４は、周波数レコードを指定しないあるＬＯＩの全ての発生について「０」に設定される。周波数レコード４３２は、（真に設定されたＮｅｉｇｈｂｏｒＬＯＩＳａｍｅＡｓＲｅｆＬＯＩフラグ４１０を有する）参照ＬＯＩに対応する隣接ＬＯＩレコード４３０について常に含まれている。周波数カウントフィールド４１４がＬＯＩに関して「０」に設定される場合、デバイスはＮＤＭメッセージの他の部分からその隣接ＬＯＩに関する周波数レコード４３２を判定する。このように、最適化されたＮＤＭは、あるＬＯＩに関連した全てのＲＦチャネルに関する周波数レコードのただ１つの場合を含んでいる。例えば、周波数レコードが、デバイスの現在のＬＯＩの特定の隣接ＬＯＩに関する最適化されたＮＤＭに含まれていない場合、デバイスは、特定のＬＯＩに関する周波数レコードを含んでいる最適化されたＮＤＭメッセージの他の部分から、その特定のＬＯＩに関する周波数レコードを判定する。
【００８５】
図４に示されるように、ＮＤＭ４００は、ＬＯＩ２におけるＲＦチャネルによって送信された送信フレームの一部であるローカル制御チャネル４３４を用いて、ＬＯＩ２上に配信される。ＮＤＭ４００が、任意の適切なフォーマットでフォーマットされ、エンコードまたは暗号化され、および／または、２以上のメッセージ成分に再編成または分割されてもよいことは注目されるべきである。
【００８６】
ＮＤＭ４００で提供されるパラメータがどのように組織されるか、デバイスで記憶されるかを例証する表４３６が示される。表４３６は、デバイスの現在のＬＯＩ（つまりＬＯＩ２）を識別するＬＯＩ識別子４３８を備えている。表４３６はまた、現在のＬＯＩ自体を加えて、デバイスの現在のＬＯＩの隣接ＬＯＩを識別する隣接ＬＯＩリスト４４０を含んでいる。表４３６はまた、ＲＦチャネル識別子４４２を含んでいる。それは、他の制御チャネルメッセージにおいて現在のＬＯＩの特定のＲＦチャネルへの参照に使用されてもよい識別子を示す。ＲＦチャネル識別子４４２が現在のＬＯＩ（つまりＬＯＩ２）のためにだけ提供されることに注意する。
【００８７】
表４３６はまた、隣接ＬＯＩリスト４４０において識別された各ＬＯＩに関連したＲＦ周波数を識別するＲＦ周波数識別子４４４を備えている。表４３６はまた、各ＲＦ周波数４４４に関連したＷＩＤ／ＬＩＤ解読シーケンス識別子を識別するＷＩＤ／ＬＩＤ識別子４４６を備えている。このように表４３６は、生成され受信デバイスで記憶され、選択システムの動作中に用いられてもよい。
【００８８】
図５は、選択システムの態様で使用される隣接記述メッセージを生成する方法５００を示す。明確にするために、方法５００は、図３に示されるアグリゲーション論理回路３００を参照してここに記述される。例えば、ある態様では、メッセージング論理回路３０２は、アグリゲーション論理回路３００を制御して以下で記述される機能を実行するために、符号の１以上のセットを実行する。
【００８９】
ブロック５０２では、１以上のワイドおよび／またはローカルの多重はマルチ周波数ネットワーク上の配信について受信される。例えば、多重は図１に示されるＮＯＣ１０２で受信される。
【００９０】
ブロック５０４では、受信多重の配信は判定される。例えば、ＮＯＣ１０２は、選択されたＷＯＩおよびＬＯＩへのワイドエリアおよびローカルエリアの多重の配信を判定する。ある態様では、ＮＯＣ１０２は、各ＬＯＩにどの多重が送達されることになっているかを決め、各ＬＯＩの内の多重を伝えるために用いられることになっているＲＦチャネルを判定する。
【００９１】
ブロック５０６では、ＮＤＭメッセージは各ＬＯＩについて生成される。例えばある態様で、配信ネットワークにおいて各ＬＯＩに関して、ＬＯＩに関して隣接ＬＯＩのセットを識別するＮＤＭは生成され、ＮＤＭはまたそのＬＯＩおよびその隣接ＬＯＩでのＲＦチャネルに関するＷＩＤ／ＬＩＤ識別子を提供する。別の態様において、ＮＤＭメッセージはＬＯＩの任意の選択されたグループについて生成される。例えば、メッセージング論理回路３０２は、図４に示されたＮＤＭ４００としてフォーマットされてもよいＮＤＭメッセージを生成するために動作する。
【００９２】
ブロック５０８では、コンテンツ多重およびＮＤＭメッセージは、各ＬＯＩでのデバイスへの配信のための送信機サイトに配信される。例えば、コンテンツ多重およびＮＤＭメッセージは、任意の適切なトランスポート機構を用いて、送信機に送信される。送信機サイトから、ＮＤＭメッセージは、図２に示されるような送信される送信フレームによって提供されるローカル制御チャネルを用いて、各ＬＯＩに配信される。
【００９３】
このように、方法５００は選択システムの態様での使用のための隣接記述メッセージを生成するために動作する。方法５００が単に１つの実装を表し、他の実装が態様の範囲内で可能であることは注目されるべきである。
【００９４】
図６は、選択システムの態様での使用のためのＲＦチャネル選択論理回路６００を示す。例えば、ＲＦチャネル選択論理回路６００は、図１に示されるＲＦチャネル選択論理回路１１８としての使用に適している。ＲＦチャネル選択論理回路６００は、全てデータバス６０８に接続される、処理論理回路６０２、メッセージデコーダ６０４、チャネルスイッチ論理回路６１０、および制御チャネル入力論理回路６０６を備えている。
【００９５】
制御チャネル入力論理回路６０６は、ソフトウェアを実行するハードウェア、ＣＰＵ、プロセッサ、ゲートアレイ、ハードウェア論理回路、および／または、メモリーエレメントの少なくとも１つを備えている。制御チャネル入力論理回路６０６は、デバイスが現在同調されるＲＦチャネル上の制御チャネルデータを受信するために動作し、このデータをメッセージデコーダ６０４へ渡す。例えば、ＮＤＭメッセージは、図２に示されるような送信フレームの一部であるローカル制御チャネル上で受信される。
【００９６】
メッセージデコーダ６０４は、ソフトウェアを実行するハードウェア、ＣＰＵ、プロセッサ、ゲートアレイ、ハードウェア論理回路、および／または、メモリーエレメントの少なくとも１つを備えている。ある態様では、メッセージデコーダ６０４は制御チャネル上で受信されたＮＤＭメッセージをデコードするために動作する。例えば、メッセージデコーダ６０４は、現在のＬＯＩおよびその隣接ＬＯＩに関連した利用可能なＲＦチャネルを判定する受信されたＮＤＭメッセージをデコードするために動作する。メッセージデコーダ６０４は、各ＲＦチャネルに関連したＷＩＤ／ＬＩＤ解読シーケンス識別子を判定する受信されたＮＤＭメッセージをデコードする。例えば、ＮＤＭメッセージは図４に示されるようにフォーマットされ、現在のＬＯＩおよびその隣接ＬＯＩにおけるＲＦチャネルに関連したＷＩＤ／ＬＩＤ解読シーケンス識別子を判定するためにデコードされる。ある態様では、ＲＦチャネル情報の表は、表４３６によって示されるように、組織され記憶される。この情報は処理論理回路６０２に渡される。
【００９７】
処理論理回路６０２は、ソフトウェアを実行するハードウェア、ＣＰＵ、プロセッサ、ゲートアレイ、ハードウェア論理回路、および／または、メモリーエレメントの少なくとも１つを備えている。ある態様では、処理論理回路６０２は、ネットワーク条件（例えばモビリティによる）または他の理由の変更のために望ましいコンテンツに関するコンテンツ取得失敗を指示する指標を受信するために動作する。そのような場合では、望ましいコンテンツを受信し続けるために、隣接ＬＯＩで運ばれるＲＦチャネルへ切替えるＲＦチャネルスイッチを実行することが必要かもしれない。
【００９８】
処理論理回路６０２は、ネットワークにおいてコンテンツフローに関するＲＦチャネル位置を認識している。例えば、ＲＦチャネルと利用可能なコンテンツフローとの間のマッピングは、ネットワークオペレーションセンターから制御チャネル上に送信され、処理論理回路６０２に提供される。ＲＦチャネルスイッチがコンテンツ取得失敗のために要求される場合、処理論理回路６０２は望ましいコンテンツを運ぶＲＦチャネルのリストを判定する。ある態様では、処理論理回路６０２は、望ましいコンテンツフローのＷＩＤ／ＬＩＤに関連づけられる隣接ＬＯＩでのそれらのＲＦチャネルを備えるためにリストを組立てる。
【００９９】
一旦ＲＦチャネルのリストが判定されれば、処理論理回路６０２は関連するＬＯＩにおける利用可能なコンテンツに基いてリストをソートするために動作する。例えば、処理論理回路６０２は、各ＬＯＩにおけるユニークなＷＩＤ／ＬＩＤ識別子の数の判定により、ＬＯＩにおいて利用可能なコンテンツの量を判定する。その後、処理論理回路６０２は、最も利用可能なコンテンツを有しかつ任意の望ましい信号強度基準を満たすＬＯＩに関連した、望ましいコンテンツを運ぶＲＦチャネルを選択する。例えば、処理論理回路６０２は、１以上のＲＦチャネルの信号強度を判定するために、受信機と通信し、ＲＦチャネルのリストにあるどのＲＦチャネルが信号強度基準を満たすかを判定するためにこの情報を使用する。望ましいコンテンツを運ぶＲＦチャネルのどれも信号強度基準を満たさないならば、処理論理回路６０２は、関連するＬＯＩにおける付加的な利用可能なコンテンツに関係なく、最も高い信号強度を有するＲＦチャネルを選択する。その後、処理論理回路６０２は、受信されたＮＤＭから得られた、選択されたＲＦチャネルの識別子およびその関連するＷＩＤ／ＬＩＤ解読シーケンス識別子をチャネルスイッチ論理回路６１０に送る。
【０１００】
チャネルスイッチ論理回路６１０は、ソフトウェアを実行するハードウェア、ＣＰＵ、プロセッサ、ゲートアレイ、ハードウェア論理回路、および／または、メモリーエレメントの少なくとも１つを備え、望ましいＲＦチャネルおよびＷＩＤ／ＬＩＤ解読シーケンス識別子を備えかつデバイス受信機１１６へ送られるチャネルスイッチメッセージを生成するために動作する。この情報によって受信機１１６は、正しいＲＦチャネルへ直ちに切り替え、望ましいコンテンツフローを受信するために正しいＷＩＤ／ＬＩＤ解読シーケンスを用いることができる。このように、（例えばデバイスモビリティのために）望ましいコンテンツに関するコンテンツ取得失敗により開始されたＲＦチャネルスイッチ中では、望ましいコンテンツを提供し、信号強度基準をみたし、かつ、向上されたユーザ体験について最多の追加コンテンツを有するＬＯＩに関連づけられているＲＦチャネルは、選択されうる。
【０１０１】
ある態様では、選択システムは、１以上のプログラム命令（「命令」）または機械読取可能な媒体上に記憶された「符号」のセットを有するコンピュータプログラム製品を備えている。その製品は、少なくとも１つのプロセッサ（例えば処理論理回路６０２でのプロセッサ）によって実行された場合、コンピュータにここに記述された機能を提供させる。例えば、コードセットは、ＲＦスイッチ論理回路６００に接続する、機械読取可能な媒体、フロッピー（登録商標）ディスク、ＣＤＲＯＭ、メモリーカード、ＦＬＡＳＨメモリデバイス、ＲＡＭ、ＲＯＭ、または、他の型のメモリデバイスのような機械読取可能な媒体からＲＦチャネル選択論理回路６００にロードされてもよい。別の態様において、コードセットは、外部デバイスまたはネットワークリソースからＲＦチャネル選択論理回路６００へダウンロードされてもよい。コードセットは、実行されたときに、コンピュータにここで記述されたように選択システムの態様を提供させる。
【０１０２】
図７は、選択システムの態様での使用のためのＲＦチャネルを選択する方法７００を示す。明確にするために、方法７００は、図６に示されるＲＦチャネル選択論理回路６００を参照してここに記述される。例えば、ある態様では、処理論理回路６０２は、下記に記述される機能を実行するＲＦチャネル選択論理回路６００を制御するために１以上のコードセットを実行する。
【０１０３】
ブロック７０２では、ワイドおよびローカル制御チャネルデータは受信される。ある態様では、ワイドおよびローカル制御チャネルデータは制御チャネル入力論理回路６０６によって受信される。例えば、ワイドおよびローカル制御チャネルデータは、図２に示されるようにフォーマットされる送信フレームのシーケンスにおいてデバイスで受信される。
【０１０４】
ブロック７０４では、ローカル制御チャネルにおける受信されたＮＤＭメッセージはデコードされる。ある態様では、図４に示されるように、ＮＤＭメッセージはフォーマットされる。ＮＤＭメッセージは、現在のＬＯＩに関する隣接ＬＯＩのセットを識別し、現在のＬＯＩおよびその隣接ＬＯＩにおけるＲＦチャネルに関するＷＩＤ／ＬＩＤ解読シーケンス識別子にＲＦチャネルを関連づける。ある態様では、ＮＤＭメッセージにおいて情報は、表４３６によって示されるような表でデバイスにおいて記憶される。
【０１０５】
ブロック７０６では、判定は、望ましいコンテンツに関連したコンテンツ取得失敗によりＲＦチャネルスイッチが必要かどうかに関してなされる。ある態様では、処理論理回路６０２は、（例えばデバイスモビリティによる）コンテンツ取得失敗を検出することによって、ＲＦチャネルスイッチが必要とされるかどうか判定するために動作する。ある態様では、デバイスでの受信論理回路は、処理論理回路６０２への指標を提供することによりコンテンツ取得失敗を指示する。コンテンツ取得失敗はネットワーク条件または他の理由を変更することによるかもしれない。コンテンツ取得失敗が検出されず、したがって、ＲＦチャネルスイッチが必要でない場合、方法は停止する。コンテンツ取得失敗が検出され、したがって、ＲＦチャネルスイッチが望ましいコンテンツを受信し続けるために要求される場合、方法はブロック７０８に進む。
【０１０６】
ブロック７０８では、望ましいコンテンツフローを運ぶ隣接ＬＯＩにおけるＲＦチャネルのリストが判定される。ある態様では、処理論理回路６０２は受信されたＮＤＭに基いて望ましいコンテンツを運ぶＲＦチャネルの選択されたリストを判定するために動作する。例えば、現在のＲＦチャネルと同じＷＩＤ／ＬＩＤ識別子を利用する隣接ＬＯＩにおけるＲＦチャネルは、望ましいコンテンツを運び、リストに含まれている。
【０１０７】
ブロック７１０では、判定は、ＲＦチャネルの選択されたリストにおいて少なくとも１つのＲＦチャネルが望ましい信号強度基準を満たすかどうかに関してなされる。例えば、処理論理回路６０２は、リストにおいてＲＦチャネルに関連した信号強度指標を受信し（つまりデバイスでの受信論理回路から）、どのＲＦチャネルが任意の望ましい信号強度基準を満たすかを決める。ＲＦチャネルが信号強度基準を満たさない場合、方法はブロック７１２に進む。少なくとも１つのＲＦチャネルが信号強度基準を満たす場合、方法はブロック７１４に進む。
【０１０８】
ブロック７１４では、ＲＦチャネルの選択されたリストは、選択された信号強度基準を満たすＲＦチャネルのサブセットを判定するためにフィルターされる。例えば、ＲＦチャネルの選択されたリストの相対的な信号強度を判定するために、処理論理回路６０２はデバイス受信機と通信し、選択された信号強度基準を満たすＲＦチャネルのサブセットを生成する。
【０１０９】
ブロック７１６では、ＲＦチャネルのサブセットはそれぞれのＬＯＩにおいて利用可能なコンテンツの量に基いてソートされる。ある態様では、処理論理回路６０２は、最多のユニークなＷＩＤ／ＬＩＤ識別子を有するそれらの関連したＬＯＩに基いてＲＦチャネルのサブセットをソートするために動作する。その識別子はそれらの関連したＬＯＩで運ばれるコンテンツの量を示す。
【０１１０】
ブロック７１８では、選択されたＲＦチャネルは、ＲＦチャネルのソートされたサブセットから判定される。ある態様では、処理論理回路６０２は、最も利用可能なコンテンツを有するＬＯＩ（つまり最多のユニークなＷＩＤ／ＬＩＤ識別子に関連したＬＯＩ）に関連づけられるＲＦチャネルのソートされたサブセットから選択されたＲＦチャネルを判定するために動作する。
【０１１１】
ブロック７１２では、選択されたＲＦチャネルは、最も高い信号強度を有するＲＦチャネルに基いてＲＦチャネルのリストから判定される。ある態様では、処理論理回路６０２はブロック７０８で判定されたＲＦチャネルのリストから最も高い信号強度を有するＲＦチャネルを選択するために動作する。
【０１１２】
ブロック７２０では、選択されたＲＦチャネルに関連したＷＩＤ／ＬＩＤ識別子が判定される。ある態様では、処理論理回路６０２はどのＷＩＤ／ＬＩＤ識別子が選択されたＲＦチャネルに関連しているかを決めるＮＤＭにおいて提供される情報を使用することによってＷＩＤ／ＬＩＤ識別子を判定するために動作する。例えば、ＮＤＭは、図４に示されるようにフォーマットされ、現在のＬＯＩおよびその隣接ＬＯＩにおいて、ＲＦチャネルとＷＩＤ／ＬＩＤ識別子との間のマッピングを提供する。処理論理回路６０２は、このマッピングから選択されたＲＦチャネルに関連したＷＩＤ／ＬＩＤ識別子を判定するために動作する。
【０１１３】
ブロック７２２では、選択されたＲＦチャネルへの切り替えが実行され、判定されたＷＩＤ／ＬＩＤ識別子が新規のＲＦチャネル上のコンテンツを解読するために用いられる。ある態様では、チャネルスイッチ論理回路６１０は、新規のＲＦチャネルを識別し、デバイスでの受信論理回路へこのメッセージを送信するチャネルスイッチメッセージを生成するために動作する。チャネルスイッチメッセージは選択されたＲＦチャネルおよびその関連するＷＩＤ／ＬＩＤ解読シーケンス識別子を識別する。受信機はその後、新規のＲＦチャネルに同調し、受信された送信フレームを解読するための正しい解読シーケンスを判定するために、ＷＩＤ／ＬＩＤ識別子を用いる。ブロック７２４では、解読された送信フレームから受信されたコンテンツは、デバイスでデコードされレンダリングされる。
【０１１４】
このように、方法７００は選択システムの態様での使用のためのＲＦチャネルを選択するために動作する。方法７００が単に１つの実装を表し、他の実装が態様の範囲内で可能なことは注目されるべきである。
【０１１５】
図８は、選択システムの態様で使用されるアグリゲーション論理回路８００を示す。例えば、アグリゲーション論理回路８００は図３に示されるアグリゲーション論理回路３００としての使用に適している。ある態様では、アグリゲーション論理回路８００は、ここで記述されたように選択システムの態様を提供するように構成された１以上のモジュールを備えている少なくとも１つの集積回路によって実装される。例えば、ある態様では、モジュールはそれぞれ、ハードウェアおよび／またはソフトウェアを実行するハードウェアを備えている。
【０１１６】
アグリゲーション論理回路８００は、１以上の選択されたローカルオペレーションインフラストラクチャ（ＬＯＩ）と、マルチ周波数ネットワークにおいて１以上の選択されたＬＯＩのそれぞれに関する１以上の隣接ＬＯＩとを識別する手段（８０２）を備えている第１のモジュールを備えている。それはある態様ではメッセージング論理回路３０２を備えている。アグリゲーション論理回路８００はまた、１以上の選択されたＬＯＩおよびそれぞれの隣接ＬＯＩを識別し、少なくとも１つの解読シーケンス識別子を１以上の選択されたＬＯＩおよびそれぞれの隣接ＬＯＩのそれぞれに関連した各無線周波数（ＲＦ）チャネルに関連づける隣接記述メッセージ（ＮＤＭ）を生成する手段（８０４）を備えている第２のモジュールを備えている。それはある態様ではメッセージング論理回路３０２を備えている。アグリゲーション論理回路８００はまた、１以上の選択されたＬＯＩ上にＮＤＭを配信する手段（８０６）を備えている第３のモジュールを備えている。それはある態様では出力論理回路３０８を備えている。
【０１１７】
図９は、選択システムの態様で使用されるＲＦチャネル選択論理回路９００を示す。例えば、ＲＦチャネル選択論理回路９００は、図６に示されるＲＦチャネル選択論理回路６００として使用に適している。ある態様では、ＲＦチャネル選択論理回路６００は、ここで記述されたように選択システムの態様を提供するように構成された１以上のモジュールを備えている少なくとも１つの集積回路によって実装される。例えば、ある態様では、モジュールはそれぞれ、ハードウェアおよび／またはソフトウェアを実行するハードウェアを備えている。
【０１１８】
ＲＦチャネル選択論理回路９００は、第１のＬＯＩおよび第１のＬＯＩの１以上の隣接ＬＯＩに関連したＲＦチャネルを識別するＮＤＭを受信する手段（９０２）を備えている第１のモジュールを備えていて、ＲＦチャネルはそれぞれ少なくとも１つの解読シーケンス識別子に関連づけられている。それはある態様では制御チャネル入力論理回路６０６を備えている。ＲＦチャネル選択論理回路９００はまた、望ましいコンテンツに関連したコンテンツ取得失敗を検出する手段（９０４）を備えている第２のモジュールを備えている。それはある態様では処理論理回路６０２を備えている。ＲＦチャネル選択論理回路９００はまた、望ましいコンテンツを運ぶ１以上の隣接ＬＯＩからＲＦチャネルのリストおよびそれらの関連するＬＯＩを判定する手段（９０６）を備えている第３のモジュールを備えている。それはある態様では処理論理回路６０２を備えている。ＲＦチャネル選択論理回路９００はまた、ＲＦチャネルのリストから選択されたＲＦチャネルを選択する手段（９０８）を備えている第４のモジュールを備えていて、選択されたＲＦチャネルは関連したＬＯＩの中で最多の追加コンテンツを運ぶ選択されたＬＯＩに関連づけられる。それはある態様では処理論理回路６０２を備えている。
【０１１９】
種々の実例となる論理回路、論理ブロック、モジュール、および、ここに開示された態様に関連して記述された回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理回路デバイス、離散ゲートまたはトランジスタ論理回路、個別のハードウェア構成機器、またはここに記述された機能を実行することを目指した任意のそれらの組み合わせに実装されてもよいし実行されてもよい。汎用プロセッサはマイクロプロセッサでもよいしが、別の方法では、プロセッサは、任意の従来のプロセッサ、コントローラ、マイクロコントローラ、または状態機械でもよい。プロセッサも、コンピューティング装置の組合せ（例えばＤＳＰとマイクロプロセッサの組合せ、複数のマイクロプロセッサ、ＤＳＰコアと連結する１以上のマイクロプロセッサ、または任意の他のそのような構成）として実装されてもよい。
【０１２０】
ここに開示された態様に関連して記述された方法またはアルゴリズムのステップは、直接的にハードウェアにおいて、プロセッサによって実行されたソフトウェアモジュールにおいて、またはこの２つの組合せにおいて具現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術において既知の記憶媒体の任意の他の形式に存在してもよい。典型的な記憶媒体は、プロセッサが記憶媒体から情報を読み出し、記憶媒体へ情報を書き込みすることができるようなプロセッサにつながれる。別の方法では、記憶媒体はプロセッサに不可欠かもしれない。プロセッサと記憶媒体はＡＳＩＣに存在してもよい。ＡＳＩＣはユーザ端末に存在してもよい。別の方法では、プロセッサと記憶媒体はユーザ端末における個別部品として存在してもよい。
【０１２１】
開示された態様の詳細な説明はいずれか当業者も本発明を作るか用いることを可能にするために提供される。これらの態様のための種々の変形は、当業者に即座に明白である可能性があり、ここに定義された総括的な原理は、この発明の精神または範囲から外れずに、他の態様（例えばインスタントメッセージングサービスまたは任意の一般的な無線データ通信アプリケーションにおいて）に適用されてもよい。このように、本発明は、ここに示された態様に限定されることを意図されないが、ここに開示された原理と新規な特徴と一致する最も広い範囲を与えられることになっている。「典型的な」という単語は、「例、事例または図として役立つ」ことを意味するために排他的にここに用いられる。「典型的な」としてここに記述された任意の態様は、好ましいまたは他の態様に関して有利であるように、必ずしも解釈されない。
【０１２２】
したがって、選択システムの態様がここに示され記述された一方、それらの精神または本質的特質を逸脱しない範囲で、態様に種々の変更を行うことができることは認識される。したがって、ここでの開示と詳細な説明は、この発明の範囲に、実例となるが限定しないように意図される。それはクレームに記述されている。
【図１】
2010533993.tif 000003
【図２】
2010533993.tif 000004
【図３】
2010533993.tif 000005
【図４】
2010533993.tif 000006
【図５】
2010533993.tif 000007
【図６】
2010533993.tif 000008
【図７】
2010533993.tif 000009
【図８】
2010533993.tif 000010
【図９】
2010533993.tif 000011
【国際調査報告】
2010533993.tif 000012
2010533993.tif 000013
2010533993.tif 000014
2010533993.tif 000015